(57)【要約】【課題】  本発明は、簡易かつ高速に最適記録パワーを設定することが可能な光ディスク記録再生装置を提供する。【解決手段】  制御部２０は、信号処理部からのＲＦ信号の変調度ｍを算出し、算出される変調度ｍが目標変調度ｍｔｇになる記録パワーを最適記録パワーとしてレーザ駆動部に供給する。具体的には、変調度測定部２１は、ＲＦ信号から所定周波数の信号、例えば３Ｔ〜１１Ｔの信号のうちの１１Ｔの信号の変調度ｍを測定する。そして、ＯＰＣにおける記録パワー毎に変調度ｍを測定する。パワー決定部２４は、変調度測定部２１で測定された変調度ｍがＯＰＣ実行部２３で設定した目標変調度ｍｔｇとなるようにターゲット記録パワーＰｗｏを設定する。【選択図】        図２
2007042175.tif 000002
【特許請求の範囲】
【請求項１】
光ディスクの所定領域に記録パワーを変化させてテスト記録し、前記記録データの再生信号の品質に基づいて最適記録パワーを決定する光ディスク記録再生装置であって、
前記テスト記録データの変調度を測定する手段と、
前記光ディスクのＡＤＩＰ情報に含まれている記録パワーに関する係数に基づいて目標変調度を算出する手段と、
測定された変調度が目標変調度となる記録パワーを最適記録パワーに決定する手段とを備え、
前記目標変調度を算出する手段は、前記光ディスクのＡＤＩＰ情報に含まれている記録パワーに関するターゲット記録パワーの推定値（Ｐｉｎｄ）に、所定のパラメータを演算することにより前記目標変調度を算出し、
前記光ディスクは、前記ＡＤＩＰ情報に目標γ値をさらに含む、光ディスク記録再生装置。
【請求項２】
光ディスクの所定領域に記録パワーを変化させてテスト記録し、前記記録データの再生信号の品質に基づいて最適記録パワーを決定する光ディスク記録再生装置であって、
前記テスト記録データの変調度を測定する手段と、
前記光ディスクのＡＤＩＰ情報に含まれている記録パワーに関する係数に基づいて目標変調度を算出する手段と、
測定された変調度が前記目標変調度となる記録パワーを最適記録パワーに決定する手段とを備える、光ディスク記録再生装置。
【請求項３】
前記目標変調度を算出する手段は、前記光ディスクのＡＤＩＰ情報に含まれている記録パワーに関する係数に、所定のパラメータを演算することにより前記目標変調度を算出する、請求項２記載の光ディスク記録再生装置。
【請求項４】
前記目標変調度を算出する手段は、前記記録パワーに関する係数として、前記光ディスクのＡＤＩＰ情報に含まれているターゲット記録パワーの推定値（Ｐｉｎｄ）を用いる請求項３記載の光ディスク記録再生装置。
【請求項５】
前記光ディスクは、前記ＡＤＩＰ情報に目標γ値をさらに含む、請求項３記載の光ディスク記録再生装置。
【発明の詳細な説明】
【技術分野】
【０００１】
本発明は光ディスク記録再生装置、特に記録可能な光ディスクにデータを記録する際の記録パワーの最適化技術に関する。
【背景技術】
【０００２】
従来より、光ディスクの所定領域、具体的には光ディスクの内周部分に形成されたＰＣＡ（Power Calibration Area）とよばれる領域に記録パワーを複数のレベルに変化させてランダムＥＦＭデータをテスト記録し、記録パワーを最適化するいわゆるＯＰＣ技術が提案されている。
【０００３】
具体的には、テスト記録データの再生ＲＦ信号からパワー関数（γ）を算出し、このγ値が所定の目標値となる記録パワー（ターゲット記録パワー）を算出する。そして、このターゲット記録パワーに基づき最適記録パワーを決定する。なお、γ値は、再生ＲＦ信号の変調度ｍと記録パワーＰｗに基づき、次式により定義される。
【０００４】
【数１】
2007042175.tif 000003
【０００５】
右辺の（ｄｍ／ｄＰｗ）は、変調度ｍの記録パワーＰｗによる微分値である。
実際には、光ディスクのリードインエリア内に目標γ値や、ターゲット記録パワーから最適記録パワーを算出するためのパラメータρ、消去／記録パワー比ε、低速記録用消去／記録パワー比補償係数κなどが記録されており、これらを光ディスクから読み出して最適記録パワーや最適消去パワーを決定している。
【０００６】
すなわち、目標γ値が得られるターゲット記録パワーをＰｗｔとすると、最適記録パワーＰｗｏは、次式として表される
【０００７】
【数２】
2007042175.tif 000004
【０００８】
また、最適消去パワー（２倍速、４倍速）Ｐｅｏは、次式として表される。
【０００９】
【数３】
2007042175.tif 000005
【００１０】
また、最適消去パワー（１倍速）Ｐｅｏ＃は、次式として表される。
【００１１】
【数４】
2007042175.tif 000006
【００１２】
これら目標γ値やρ、ε、κなどは予め光ディスク製造業者により所定の条件下で決定され、光ディスクに記録されているものである。
【００１３】
しかしながら、γ値の算出に用いられる変調度ｍは、光ディスクの記録膜の面内感度バラツキなどにより誤差を含んでおり、この誤差に起因してγ値にも誤差が含まれることとなる。したがって、光ディスク製造業者により指定されていた目標γ値から一義的にターゲット記録パワーを決定することが困難で、このことに起因して最適記録パワーを精度良く決定することが困難となる問題があった。
【００１４】
テスト記録データの各記録パワーにおける変調度ｍ及びこの変調度ｍから（１）式に従い算出されたγ値の変化が示されている。図において、横軸はテスト記録時の記録パワーＰｗであり、左縦軸は変調度ｍ、右縦軸はγ値である。従来、目標γ値は例えば１．３に設定されており、この目標γ値近傍では図４に示されるように変調度ｍの誤差に起因してγ値に大きな変動あるいはうねりが生じる場合があり、目標γ値が得られる記録パワーＰｗを一義的に決定することが困難となる。
【００１５】
図４において、目標γ値（γｔａｒｇｅｔ）が得られる記録パワーの候補としてＰ０、Ｐ１、Ｐ２、Ｐ３が存在し、これらのいずれを選択するかによって、最適記録パワーが大きく変化してしまい、本来の最適記録パワーを決定することが困難で、記録品質（波形ジッタ、エラーレート等）を維持できない問題があった。
【００１６】
具体的には、本来の最適記録パワーより著しく低い記録パワーで記録した場合は、ジッタやエラーレートに悪影響を及ぼし、逆に本来の最適値より著しく高い記録パワーで記録した場合には繰り返し記録の耐久性に悪影響を及ぼすことになる。
【００１７】
特開２００３−６７９２５号公報においては、変調度あるいはγ値の変化の傾きに基づいて最適記録パワーを算出する方式が開示されている。
【特許文献１】特開２００３−６７９２５号公報
【発明の開示】
【発明が解決しようとする課題】
【００１８】
しかしながら、上記文献に従う方式においては、変調度変化の傾きあるいはγ値の変化の傾きを検出する必要があるためある程度、広範囲に記録パワーを振ってやらなければならず、半導体レーザに過度に負荷を掛ける可能性がある。
【００１９】
また、広範囲に記録パワーを振る必要があるため調整にも時間がかかるという問題がある。
【００２０】
本発明は、上記のような問題を解決するためになされたものであって、簡易かつ高速に最適記録パワーを設定することが可能な光ディスク記録再生装置を提供することを目的とする。
【課題を解決するための手段】
【００２１】
本発明に係る光ディスク記録再生装置は、光ディスクの所定領域に記録パワーを変化させてテスト記録し、記録データの再生信号の品質に基づいて最適記録パワーを決定する光ディスク記録再生装置であって、テスト記録データの変調度を測定する手段と、光ディスクのＡＤＩＰ情報に含まれている記録パワーに関する係数に基づいて目標変調度を算出する手段と、測定された変調度が目標変調度となる記録パワーを最適記録パワーに決定する手段とを備える。目標変調度を算出する手段は、光ディスクのＡＤＩＰ情報に含まれている記録パワーに関するターゲット記録パワーの推定値（Ｐｉｎｄ）に、所定のパラメータを演算することにより目標変調度を算出する。光ディスクは、ＡＤＩＰ情報に目標γ値をさらに含む。
【００２２】
本発明に係る光ディスク記録再生装置は、光ディスクの所定領域に記録パワーを変化させてテスト記録し、記録データの再生信号の品質に基づいて最適記録パワーを決定する光ディスク記録再生装置であって、テスト記録データの変調度を測定する手段と、光ディスクのＡＤＩＰ情報に含まれている記録パワーに関する係数に基づいて目標変調度を算出する手段と、測定された変調度が目標変調度となる記録パワーを最適記録パワーに決定する手段とを備える。
【００２３】
好ましくは、目標変調度を算出する手段は、光ディスクのＡＤＩＰ情報に含まれている記録パワーに関する係数に、所定のパラメータを演算することにより目標変調度を算出する。
【００２４】
特に、目標変調度を算出する手段は、記録パワーに関する係数として、光ディスクのＡＤＩＰ情報に含まれているターゲット記録パワーの推定値（Ｐｉｎｄ）を用いる。
【００２５】
特に、光ディスクは、ＡＤＩＰ情報に目標γ値をさらに含む。
【発明の効果】
【００２６】
本発明に係る光ディスク記録再生装置は、光ディスクのＡＤＩＰ情報に含まれている記録パワーに関する係数に基づいて目標変調度を算出し、測定された変調度が目標変調度となる記録パワーを最適記録パワーに決定する。変調度は、記録パワーの上昇とともに増加する特性を有するため目標変調度となるように記録パワーを調整するだけで、最適記録パワーに決定することが可能であり、広範囲に記録パワーを振る必要もなく、簡易かつ高速に最適記録パワーを設定することができる。
【発明を実施するための最良の形態】
【００２７】
以下、本発明の実施の形態について図面を参照しながら詳細に説明する。なお、図中同一または相当部分には同一符号を付し、その説明は繰返さない。
【００２８】
図１は、本発明の実施の形態に従う光ディスク記録再生装置の概略ブロック図である。
図１を参照して、光ディスク記録再生装置１は、ＤＶＤ等の同心円状又は渦巻状の情報記録トラックが形成された光ディスクに対して、音楽や映像等の情報の記録及び／又は再生を行なう。
【００２９】
光ディスク記録再生装置１は、ディスク挿入検知部２と、スピンドルモータ３と、光ピックアップ４と、移動モータ５と、レーザ駆動部６と、信号処理部７と、データスライス信号生成部８と、サーボ制御部（フォーカシング制御部、トラッキング制御部）９とを備える。さらに、光ディスク記録再生装置１は、映像・音声信号入出力部１０と、リモコン１１と、リモコン受信部１２と、表示部１３と、及び上記各部を制御するための制御部２０と、ディスクトレイ７０と、ディスク搬送部７５とを備えている。
【００３０】
ディスク挿入検知部２は、光ディスクが不図示のディスク挿入部から挿入されてディスクトレイ７０に載置されたことを検出し、その信号を制御部２０へ入力する。挿入された光ディスクは、スピンドルモータ３に装着される。スピンドルモータ３は、制御部２０からの指示に従い回転駆動され、装着された光ディスクが所定速度で回転するように制御する。
【００３１】
光ピックアップ４は、光ディスクに対して情報の記録及び／又は再生を行なうための光を照射すると共に、光ディスクからの反射光を受光して電気信号に変換出力するものであり、制御部２０からの指示に基づきリニアモータから成る移動モータ５により光ディスク上でその半径方向に移動される。
【００３２】
この光ピックアップ４は、半導体レーザ４１から出射された光をコリメートレンズ４２、ビームスプリッタ４３および対物レンズ４４を介して光ディスク上に集光照射する。また、光ディスク上からの反射光を対物レンズ４４、ビームスプリッタ４３、及び集光レンズ４５を介して光検知器４６で受光する。
【００３３】
半導体レーザ４１は、制御部２０からの指示に応答して動作するレーザ駆動部６によりその発光が制御される。光検知器４６は、受光面が複数の領域に分割され、受光面毎に受光強度に応じた電気信号を出力する分割フォトダイオードから構成されており、光検知器４６からの出力信号は信号処理部７に入力される。
【００３４】
対物レンズ４４は、レンズホルダ４７に保持されており、レンズホルダ４７には、フォーカシングコイル４８と、トラッキングコイル４９が設けられている。フォーカシングコイル４８は、不図示の磁石との磁気作用により、対物レンズ４４を光ディスクのディスク面と垂直な方向へ移動させるものである。また、トラッキングコイル４９は、同様に、対物レンズ４４を光ディスクのディスク面と平行に光ディスクの記録トラックと垂直な方向へ移動させるものである。
【００３５】
信号処理部７は、光検知器４６からの出力信号に基づいて、ＲＦ信号（反射強度）を生成し、データスライス信号生成部８へ出力する。データスライス信号生成部８は、このＲＦ信号を２値化したデータスライス信号を生成し、制御部２０へ入力する。制御部２０では、このデータスライス信号に基づいて、光ディスクに形成されているピットを検出する。
【００３６】
また、信号処理部７は、光検知器４６からの出力信号に基づいて、フォーカスエラー信号及びトラックエラー信号を生成し、サーボ制御部９へ出力する。フォーカスエラー信号は、対物レンズ４４を介して光ディスクに照射する光の集光点の光ディスク面からのずれ量に対応する信号であり、トラックエラー信号は、集光点の記録トラックからのずれ量に対応する信号である。
【００３７】
サーボ制御部９は、これらフォーカスエラー信号及びトラックエラー信号に基づいて、フォーカシングコイル４８及びトラッキングコイル４９への電流供給を制御して対物レンズ４４を移動させ、それにより、集光点が光ディスクのディスク面上、かつ、記録トラック上に位置するようにサーボ制御する。
【００３８】
映像・音声信号入出力部１０には、不図示のディスプレイやスピーカ、テレビ受像機等の外部装置が接続され、光ディスクから再生した映像信号や音声信号の出力や、外部装置からの映像信号や音声信号の入力が行なわれる。
【００３９】
リモコン１１は、光ディスク記録再生装置１の各種の動作を操作するためのものであり、各種の動作を操作するための操作キー（何れも不図示）を備えている。リモコン７は、これらのキーの操作に応じて、対応する信号を赤外線信号で送出する。リモコン受信部１２は、リモコン１１から送出される赤外線信号を受信し、その信号を制御部２０へ出力する。表示部１３は、光ディスク記録再生装置１本体のフロントパネルに設けられ、リモコン１１により操作された内容や光ディスク記録再生装置１の動作状況等を表示する。
【００４０】
ここで、光ディスクに対する情報の記録／再生について説明する。まず、光ディスクからの情報の再生は、スピンドルモータ３により光ディスクを所定速度で回転させながら、半導体レーザ４１からの光を光ディスクに照射し、その反射光を光検知器４６で受光する。そして、サーボ制御部９により、信号処理部７からのフォーカスエラー号に基づいてフォーカシングコイル４８への電流供給を制御して対物レンズ４４を移動させ、半導体レーザ４１からの光の集光点が光ディスク面上に位置するようにフォーカスオン（フォーカス引き込み）させる。さらに、サーボ制御部９により、信号処理部７からのトラックエラー信号に基づいてトラッキングコイル４９への電流供給を制御して対物レンズ４４を移動させ、半導体レーザ４１からの光の集光点が所望の記録トラック上に位置するようにトラックオン（トラック引き込み）させる。
【００４１】
フォーカスオン及びトラックオンさせた後は、サーボ制御部９により、フォーカスエラー信号及びトラックエラー信号に基づいてフォーカシングコイル４８及びトラッキングコイル４９への電流供給を制御し、フォーカスオン状態及びトラックオン状態を維持するようにフォーカシングサーボ制御及びトラッキングサーボ制御が行なわれる。
【００４２】
そして、このサーボ状態で信号処理部７から出力されたＲＦ信号がデータスライス信号生成部８に入力され、データスライス信号生成部８によりＲＦ信号を２値化して生成されたデータスライス信号が制御部２０に入力される。
【００４３】
制御部２０は、このデータスライス信号を基に光ディスクに形成されているピットの有無を検出して光ディスクに記録されている情報を読取り、読取った情報を映像信号や音声信号に再生して、映像・音声信号入出力部１０から外部装置へ出力する。
【００４４】
また、光ディスクへの情報の記録は、同様に、フォーカシング及びトラッキングのサーボ状態で、半導体レーザ４１からのレーザ光により光ディスク上にピットを形成することにより行なわれる。このとき、映像・音声信号入出力部１０から入力された映像信号や音声信号が制御部２０により符号化され、半導体レーザ４１が、制御部２０による制御のもと、その符号化データに応じて発光制御される。これにより、その符号化データに応じたピットが光ディスクの記録トラックに形成され、映像や音声の情報が記録される。ピットの形成は、半導体レーザ４１を情報の読取り時よりも高出力で発光させることにより可能としている。
【００４５】
さらに、光ディスクが書き換え可能な光ディスクである場合には、半導体レーザ４１から消去パワー（再生パワー＜消去パワー＜記録パワー）のレーザ光を射出して記録データを消去する。記録データは、記録パワーのレーザ光により光ディスクの記録膜を溶融昇華してピットを形成する場合と結晶状態にある記録膜を加熱急冷してアモルファス状態に変化させることでデータを記録する場合がある。本実施の形態においては、いずれの記録方法も用いることが可能である。消去は、消去パワーを照射してアモルファス状態を結晶状態に戻すことで行なう。
【００４６】
レーザ駆動部６における記録パワー値は制御部２０からの制御信号により決定される。具体的には、データを記録するに先立ち、光ディスクのＰＣＡエリアにおいて最適記録パワーとなるように調整する（ＯＰＣ）。
【００４７】
一方、データ再生時には、光ピックアップ部４から出力されたＲＦ信号は信号処理部７に供給される。上述したように信号処理部７は、データスライス信号生成部８に出力してＲＦ信号を２値化するとともに、ＲＦ信号を増幅した後に信号品質評価用に制御部２０にも供給される。
【００４８】
制御部２０は、テストデータの再生信号品質に基づき最適記録パワーを決定する。すなわち、信号処理部７からのＲＦ信号の変調度ｍを算出し、算出される変調度ｍが目標変調度ｍｔｇになる記録パワーを最適記録パワーとしてレーザ駆動部６に供給する。
【００４９】
図２は、制御部２０の構成の一部を説明する図である。
図２を参照して、制御部２０は、変調度測定部２１と、ＯＰＣ調整部２２と、記憶部２５と、パラメータ記録部２６とを含む。ＯＰＣ調整部２２は、ＯＰＣ実行部２３と、パワー決定部２４とを含む。なお、変調度算出部２１、ＯＰＣ調整部２２及びパワー決定部２４は具体的には単一のＣＰＵで構成することも可能であり、記憶部２５、パラメータ記録部２６も単一のＲＡＭで構成することも可能である。
【００５０】
制御部２０には、図示しないインターフェースを介して信号処理部２０からのＲＦ信号が供給され変調度算出部２１に入力される。
【００５１】
変調度測定部２１は、ＲＦ信号から所定周波数の信号、例えば３Ｔ〜１１Ｔの信号のうちの１１Ｔの信号の変調度ｍを測定する。そして、ＯＰＣにおける記録パワー毎に変調度ｍを測定する。
【００５２】
パワー決定部２４は、この測定された変調度ｍが目標変調度ｍｔｇとなるターゲット記録パワーＰｗｏを決定する。そして、このターゲット記録パワーに基づき上式（２）〜（４）で説明した式にしたがって最適記録パワーが決定される。
【００５３】
図３は、ターゲット記録パワーＰｗｏの決定を説明する図である。
図３に示されるように、縦軸に変調度ｍが示される。そして、横軸は、記録パワーＰｗが示される。記録パワーＰｗを上げることにより変調度ｍは上昇し、目標変調度ｍｔｇとなる記録パワーＰｗをターゲット記録パワーＰｗｏに設定する。
【００５４】
ここで、本実施の形態においては、目標変調度ｍｔｇについて、光ディスクの製造業者により予めＡＤＩＰ情報として目標γ値とともに記録されている記録パワーに関する係数に基づいて設定する。例えば、物理フォーマット情報にあるターゲット記録パワーの推定値ＰｉｎｄにパラメータＸを乗算した値（Ｐｉｎｄ×Ｘ）を目標変調度ｍｔｇに設定する。なお、このパラメータＸは、予めパラメータ記録部２６に記録されているメディアの種類と記録速度とで対応付けられたテーブルを参照して読み込まれるものとする。なお、この目標変調度ｍｔｇの設定は、一例としてＯＰＣ実行部２３で処理することとする。パワー決定部２４は、変調度測定部２１で測定された変調度ｍがこのＯＰＣ実行部２３で設定された目標変調度ｍｔｇとなるようにターゲット記録パワーＰｗｏを設定する。
【００５５】
本発明の実施の形態に従う方式、具体的には、ＡＤＩＰ情報の係数に基づいて目標変調度ｍｔｇを設定することにより、ターゲット記録パワーＰｗｏを一義的に決定することができる。
【００５６】
また、ＤＶＤ＋ＲＷ等のＡＤＩＰ情報に含まれている目標γ値を用いる場合、γ値が式（１）で示したように変調度ｍと記録パワーＰｗとの変化量の関数で表されるため、記録パワーＰｗをある程度大きくしなければその変化量を測定することはできないが、本発明の実施の形態に従う方式においては、ＤＶＤ＋ＲＷ等においても目標γ値の値を用いて変化量を測定する必要がないため記録パワーＰｗを大きくする必要はない。変調度ｍは、図３にも示されるように記録パワーＰｗの上昇とともに増加する特性を有するため目標変調度ｍｔｇとなるように記録パワーＰｗを調整するだけで、ターゲット記録パワーＰｗｏに設定することが可能である。したがって、半導体レーザ４１に過大な発光を要求してレーザ駆動部に高負荷を掛けることもなく、機器の保全にも有利であり、また消費電力の面からも有利である。
【００５７】
なお、ＡＤＩＰ情報として上記の例においては、物理フォーマット情報にあるターゲット記録パワーの推定値Ｐｉｎｄを用いて、目標変調度ｍｔｇを設定する場合について説明したが、これに限られず、例えば、他のＡＤＩＰ情報に含まれている係数である、ターゲット記録パワーＰｗｏを得るための増幅率である係数ρおよびパルス設定幅設定値であるＴｍｐ情報を組み合わせて、目標変調度ｍｔｇを設定することも可能である。例えば、目標変調度ｍｔｇ＝Ｐｉｎｄ×ρ×Ｔｍｐに設定することも可能である。例えば、Ｐｉｎｄ＝１２．９、ρ＝１．１６、Ｔｍｐ＝０．５／１０とすると、目標変調度ｍｔｇ＝０．７４８２に設定することも可能である。
【００５８】
上記の如く、光ディスクに記憶されたＡＤＩＰ情報の係数をさらに多く用いることによりディスクの特性により依存した目標変調度に設定することが可能である。
【００５９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６０】
【図１】本発明の実施の形態に従う光ディスク記録再生装置の概略ブロック図である。
【図２】制御部２０の構成の一部を説明する図である。
【図３】ターゲット記録パワーＰｗｏの決定を説明する図である。
【図４】変調度ｍの誤差に起因してγ値に大きな変動あるいはうねりが生じる場合を説明する図である。
【符号の説明】
【００６１】
１  光ディスク記録再生装置、２  ディスク挿入検知部、３  スピンドルモータ、４  光ピックアップ、５  移動モータ、６  レーザ駆動部、７  信号処理部、８  データスライス信号生成部、９  サーボ制御部、１０  映像・音声信号入出力部、１１  リモコン、１２  リモコン受信部、１３  表示部、２０  制御部、２１  変調度算出部、２２  ＯＰＣ調整部、２３  ＯＰＣ実行部、２４  パワー決定部、２５  記憶部、２６  パラメータ記録部、７０  ディスクトレイ。
【図１】
2007042175.tif 000007
【図２】
2007042175.tif 000008
【図３】
2007042175.tif 000009
【図４】
2007042175.tif 000010